(57)【要約】【課題】パーティーや宴会など多人数で楽しんでいる場合でも、自由に一人で歌ったり、練習したりでき、しかも疎外感を感じることのない安価なカラオケルームを提供する。【解決手段】親ルーム１１は、パーティーや宴会など多人数収容可能なカラオケルームであり、一方の長手方向の壁の両端部には、外部と通ずる扉１３がそれぞれ設けられ、両扉１３、１３間には、長手方向の壁に沿って複数の子ルーム１２…が隣接して設けられている。子ルーム１２は少人数用のカラオケルームであり、各子ルーム１２にはモニターを備えたカラオケ装置Ｋが設置されている。親ルーム１１と子ルーム１２は、遮音壁１６、１７によって完全に仕切られ、親ルーム１１と子ルーム１２とを仕切る扉１４は防音扉になっている。また、遮音壁１６には透明のペアガラス１５が嵌め込まれ、親ルーム１１から子ルーム１２内、子ルーム１２から親ルーム１１内がお互いに見えるようになっている。【選択図】図１
0003125584.tif 000002
【実用新案登録請求の範囲】
【請求項１】
パーティールームとして使用可能な親ルームの中に、遮音壁によって区画された子ルームが配置され、前記親ルームと前記子ルームにそれぞれカラオケ装置を備えていることを特徴とする親子ルームカラオケ。
【請求項２】
前記遮音壁の少なくとも一部が透明なペアガラスから構成されていることを特徴とする請求項１に記載の親子ルームカラオケ。
【請求項３】
前記親ルームと前記子ルームとを仕切る扉の開閉を検出するセンサと、該センサによって扉の開が検出されたことを条件に、前記子ルームに備えられたカラオケ装置から発生する音楽を停止させる制御装置とを有することを特徴とする請求項１または２に記載の親子ルームカラオケ。
【請求項４】
前記制御装置は、前記カラオケ装置のスピーカからの出力を停止させるスイッチを切替操作することによって音楽を停止させることを特徴とする請求項３に記載の親子ルームカラオケ。
【請求項５】
前記親ルームの周縁部に前記子ルームが配置されていることを特徴とする請求項１乃至４のいずれかに記載の親子ルームカラオケ。
【請求項６】
前記親ルームを利用する利用者の動線が、外部から前記子ルームを経由して前記親ルームに出入りするように設定されていることを特徴とする請求項５に記載の親子ルームカラオケ。
【考案の詳細な説明】
【技術分野】
【０００１】
本考案は、カラオケルームのレイアウトに関する。
【背景技術】
【０００２】
従来のカラオケルームは、個室内だけでカラオケを楽しむことができるように構成されているため、個室の大きさによって利用者の人数が制限されるという欠点があった。
そこで、特許文献１では、複数のカラオケボックスにビデオカメラとモニターテレビを設置して、各ビデオカメラおよびモニターテレビをケーブルで接続し、他のカラオケボックスと同じ状況下でカラオケを楽しみたい 場合には、ビデオカメラおよびモニターテレビ をＯＮ 状態とすることにより、 選択した他のカラオケボックス内の映像や音声をモニターテレビに出力させる発明が提案されている。
【特許文献１】特開平５−２１６４８６号公報
【考案の開示】
【考案が解決しようとする課題】
【０００３】
一方、パーティーや宴会など多人数で楽しんでいる場合でも、順番待ちの間に一人で歌いたいときや、歌の練習をしたいときがある。しかし、このような場合、従来のカラオケルームでは、別途、新たにカラオケルームを借りる必要があり、非経済的であるうえ、グループから疎外されたように感じる可能性もある。
【０００４】
本考案は、上述する問題点に鑑みてなされたもので、パーティーや宴会など多人数で楽しんでいる場合でも、自由に一人で歌ったり、練習したりでき、しかも疎外感を感じることのない安価なカラオケルームを提供することを目的とする。
【課題を解決するための手段】
【０００５】
上記目的を達成するため、本考案に係る親子ルームカラオケは、パーティールームとして使用可能な親ルームの中に、遮音壁によって区画された子ルームが配置され、前記親ルームと前記子ルームにそれぞれカラオケ装置を備えていることを特徴としている。
本考案では、パーティールームとして使用可能な親ルームの中に、遮音壁によって区画され、カラオケ装置が備えられた子ルームを配置することにより、多人数で楽しんでいる最中でも、自由に一人で歌ったり、練習したりすることができる。
【０００６】
また、本考案では、前記遮音壁の少なくとも一部がペアガラスから構成されていることを好適とする。
本考案では、遮音壁の少なくとも一部をペアガラスとして、親ルームから子ルーム内、子ルームから親ルーム内をお互いに見ることができるようにすることで、グループから疎外されたように感じることがなく、しかも遮音性を維持することができる。
【０００７】
また、本考案では、前記親ルームと前記子ルームとを仕切る扉を開けている間、前記子ルームに備えられたカラオケ装置の演奏が自動的に停止することが好ましい。
本考案では、親ルームと子ルームとを仕切る扉を開けている間、子ルームに備えられたカラオケ装置の演奏が自動的に停止するので、親ルームで開催されているパーティーなどの雰囲気が子ルームから発せられる演奏で壊されることがない。
【０００８】
また、本考案では、前記親ルームの周縁部に前記子ルームが配置されていてもよい。
本考案では、親ルームの周縁部に子ルームを配置することにより、広い親ルームスペースを確保することができる。
【０００９】
また、本考案では、前記親ルームを利用する利用者の動線が、外部から前記子ルームを経由して前記親ルームに出入りするように設定されていてもよい。
本考案では、外部から子ルームを経由して親ルームに出入りするようにして、外部と親ルームとの間に二重扉を構成することにより、親ルームの音が外部に洩れることがなく、高い遮音性能を確保することができる。
【考案の効果】
【００１０】
本考案では、パーティールームとして利用できる親ルームの中に、遮音壁によって区画され、カラオケ装置が備えられた子ルームを配置することにより、多人数で楽しんでいる最中でも、自由に一人で歌ったり、練習したりすることができる。また、新たにカラオケルームを借りる必要がないので経済的である。
加えて、遮音壁の少なくとも一部をペアガラスとして、親ルームから子ルーム内、子ルームから親ルーム内をお互いに見ることができるようにすることで、グループから疎外されたように感じることがなく、且つ遮音性を維持することができる。
【考案を実施するための最良の形態】
【００１１】
以下、本考案に係る親子ルームカラオケの実施形態について図面に基づいて説明する。
図１に、本考案に係る親子ルームカラオケのレイアウトの一例を示す。
親ルーム１１は、パーティーや宴会など多人数収容可能な平面視矩形状のカラオケルームである。親ルーム１１の一方の長手方向の壁の両端部には、外部と通ずる扉１３がそれぞれ設けられ、両扉１３、１３間には、長手方向の壁に沿って複数の子ルーム１２…が隣接して設けられている。
【００１２】
子ルーム１２は少人数用のカラオケルームであり、各子ルーム１２内にはモニターを備えたカラオケ装置Ｋが設置されている。これにより、多人数の利用でも順番を待たずに各自が好きなときに、子ルーム１２内で好きな曲を歌ったり、練習したりすることができる。
親ルーム１１と子ルーム１２は、遮音壁１６、１７によって完全に仕切られ、親ルーム１１と子ルーム１２とを仕切る扉１４も防音扉にして音が一切、親ルーム１１に洩れない構造になっている。また、遮音壁１６には透明のペアガラス（多重構造とすることによって遮音性を高めたガラス）１５が嵌め込まれ、親ルーム１１から子ルーム１２内、子ルーム１２から親ルーム１１内がお互いに見えるようになっている。
【００１３】
加えて本実施形態では、子ルーム１２、１２間を仕切る遮音壁１７は取り外し可能とされ、利用形態に応じてフレキシブルなカラオケルームとして利用することができる。
なお、子ルーム１２内で音が反射するのを防止するため、遮音壁１６および天井には吸音材が使用されている。
【００１４】
また、親ルーム１１と子ルーム１２とを仕切る扉１４には開閉センサ（図示省略）が装備されており、常時、開閉センサが扉１４の開閉状態を監視している。扉１４を開けると、子ルーム１２内に設置されたカラオケ装置Ｋに設けられた制御部（図示略）に、開閉センサの検出に基づいて前記制御部からＯＦＦ信号が送信されると、カラオケ装置Ｋの演奏が自動的に停止し、扉１４を閉めると、開閉センサからカラオケ装置ＫにＯＮ信号が送信され、再びカラオケ装置Ｋが演奏を開始するようになっている。これにより、親ルーム１１と子ルーム１２とを仕切る扉１４を開けた際に、親ルーム１１で開催されているパーティーなどの雰囲気が子ルーム１２から発せられる演奏で壊されることがない。なお、この実施形態いう演奏の停止は、カラオケ装置による伴奏音楽の再生とマイク入力の出力の停止を云うが、カラオケ装置による音楽再生やマイク入力の出力は継続させ、カラオケ装置からの音楽（音声および伴奏）を再生するスピーカの入力を制御するスイッチや、スピーカを駆動するアンプのスイッチを前記扉の開放によって操作して音楽の出力を停止するようにしても良い。
【００１５】
親ルーム１１の他方の長手方向の壁の中央部には、各子ルーム１２から見える位置にステージＳが設けられており、当該ステージＳの両サイドには、壁掛け式の大型モニターＭがそれぞれ設置されている。また、中央部のステージＳの上にはステージモニターＳＴＭが設置され、親ルーム１１の短辺方向にもそれぞれステージＳが設けられ、離れたところでのデュエットやカラオケ以外の催し物に使用することができる。
【００１６】
なお、各子ルーム１２内には、熱感知器や非常灯などの消防設備（図示省略）を設置するとともに、親ルーム１１内には誘導灯（図示省略）を設置し、火災時に、利用者が迅速に避難できるように配慮されている。
【００１７】
本実施形態による親子ルームカラオケでは、パーティーや宴会など多人数収容可能な親ルーム１１の中に、遮音壁１６によって区画された子ルーム１２を配置し、親ルーム１１と子ルーム１２にそれぞれカラオケ装置Ｋを設置しているので、大勢でのカラオケとプライベートなカラオケを同時に楽しむことができる。また、新たにカラオケルームを借りる必要がないので経済的である。
加えて、遮音壁１６には透明のペアガラス１５が嵌め込まれており、親ルーム１１から子ルーム１２内、子ルーム１２から親ルーム１１内をお互いに見ることができるようにすることで、子ルーム１２にいてもパーティーや宴会に参加している気分を味わうことができる。
【００１８】
図２および図３は、本考案に係る親子ルームカラオケの他の実施形態を示したものである。
図２の親子ルームカラオケでは、長方形スペースのコーナー部に、遮音壁２６で仕切られた平面視三角形状の子ルーム２２を設け、両コーナー部に設置された子ルーム２２に挟まれるように、平面視台形状の親ルーム２１が配置されている。この例では、比較的利用され難い部屋のコーナー部を子ルームとして利用することにより、カラオケルームの限られたスペースを有効利用することができる。
親ルーム２１の一方の長手方向の壁の中央部には壁掛け式の大型モニターＭが設置され、大型モニターＭと対向する他方の長手方向の壁の中央部にはステージＳが設けられている。そして、各子ルーム２２の遮音壁２６に設けられた透明のペアガラス２５を介して大型モニターＭが見えるようになっている。
【００１９】
一方、図３の親子ルームカラオケでは、親ルーム３１の一方の長手方向の壁の両端部に設けられた外部と通ずる扉３３をそれぞれ遮音壁３６で取り囲んで子ルーム３２とし、外部から親ルーム３１に出入りする際には、子ルーム３２を経由するようになっている。これにより、外部と親ルーム３１との間に二重扉３３、３４を構成し、親ルーム３１の音が外部に洩れないようにして、高い遮音性能を確保している。
【００２０】
以上、本考案に係る親子ルームカラオケの実施形態について説明したが、本考案は上記の実施形態に限定されるものではなく、その趣旨を逸脱しない範囲で適宜変更可能である。例えば、子ルームの数や形状、レイアウトは上記の実施形態に限定されるものではなく、各子ルームと親ルームがお互いに見渡せる位置にあればよい。また、上記実施形態では、外部と通ずる扉は２箇所としたが、３箇所以上設けてもよい。
【図面の簡単な説明】
【００２１】
【図１】本考案に係る親子ルームカラオケの実施形態の一例を示す平面図である。
【図２】本考案に係る親子ルームカラオケの他の実施形態を示す平面図である。
【図３】本考案に係る親子ルームカラオケの他の実施形態を示す平面図である。
【符号の説明】
【００２２】
１１、２１、３１  親ルーム
１２、２２、３２  子ルーム
１３、１４、２３、２４、３３、３４  扉
１５、２５、３５  ペアガラス
１６、１７、２６、３６  遮音壁
Ｋ  カラオケ装置
Ｓ  ステージ
ＳＴＭ  ステージモニター
【図１】
0003125584.tif 000003
【図２】
0003125584.tif 000004
【図３】
0003125584.tif 000005
【手続補正書】
【提出日】平成18年7月19日(2006.7.19)
【手続補正１】
【補正対象書類名】実用新案登録請求の範囲
【補正対象項目名】全文
【補正方法】変更
【補正の内容】
【実用新案登録請求の範囲】
【請求項１】
パーティールームとして使用可能な親ルームの中に、遮音壁によって区画された子ルームが配置され、前記親ルームと前記子ルームにそれぞれカラオケ装置を備えていることを特徴とする親子カラオケルーム。
【請求項２】
前記遮音壁の少なくとも一部が透明なペアガラスから構成されていることを特徴とする請求項１に記載の親子カラオケルーム。
【請求項３】
前記親ルームと前記子ルームとを仕切る扉の開閉を検出するセンサと、該センサによって扉の開が検出されたことを条件に、前記子ルームに備えられたカラオケ装置から発生する音楽を停止させる制御装置とを有することを特徴とする請求項１または２に記載の親子カラオケルーム。
【請求項４】
前記制御装置は、前記カラオケ装置のスピーカからの出力を停止させるスイッチを切替操作することによって音楽を停止させることを特徴とする請求項３に記載の親子カラオケルーム。
【請求項５】
前記親ルームの周縁部に前記子ルームが配置されていることを特徴とする請求項１乃至４のいずれかに記載の親子カラオケルーム。
【請求項６】
前記親ルームを利用する利用者の動線が、外部から前記子ルームを経由して前記親ルームに出入りするように設定されていることを特徴とする請求項５に記載の親子カラオケルーム。
【手続補正３】
【補正対象書類名】明細書
【補正対象項目名】０００５
【補正方法】変更
【補正の内容】
【０００５】
上記目的を達成するため、本考案に係る親子カラオケルームは、パーティールームとして使用可能な親ルームの中に、遮音壁によって区画された子ルームが配置され、前記親ルームと前記子ルームにそれぞれカラオケ装置を備えていることを特徴としている。
本考案では、パーティールームとして使用可能な親ルームの中に、遮音壁によって区画され、カラオケ装置が備えられた子ルームを配置することにより、多人数で楽しんでいる最中でも、自由に一人で歌ったり、練習したりすることができる。
【手続補正４】
【補正対象書類名】明細書
【補正対象項目名】００１１
【補正方法】変更
【補正の内容】
【００１１】
以下、本考案にかかる親子カラオケルームの実施形態について図面に基づいて説明する。
図１に、本考案に係る親子カラオケルームのレイアウトの一例を示す。
親ルーム１１は、パーティーや宴会など多人数収容可能な平面視矩形状のカラオケルームである。親ルーム１１の一方の長手方向の壁の両端部には、外部と通ずる扉１３がそれぞれ設けられ、両扉１３、１３間には、長手方向の壁に沿って複数の子ルーム１２…が隣接して設けられている。
【手続補正５】
【補正対象書類名】明細書
【補正対象項目名】００１７
【補正方法】変更
【補正の内容】
【００１７】
本実施形態による親子カラオケルームでは、パーティーや宴会など多人数収容可能な親ルーム１１の中に、遮音壁１６によって区画された子ルーム１２を配置し、親ルーム１１と子ルーム１２にそれぞれカラオケ装置Ｋを設置しているので、大勢でのカラオケとプライベートなカラオケを同時に楽しむことができる。また、新たにカラオケルームを借りる必要がないので、経済的である。
加えて、遮音壁１６には透明のペアガラス１５が嵌め込まれており、親ルーム１１から子ルーム１２内、子ルーム１２から親ルーム１１内をお互いに見ることができるようにすることで、子ルーム１２にいてもパーティーや宴会に参加している気分を味わうことができる。
【手続補正６】
【補正対象書類名】明細書
【補正対象項目名】００１８
【補正方法】変更
【補正の内容】
【００１８】
図２及び図３は、本考案にかかる親子カラオケルームの他の実施形態を示したものである。
図２の親子カラオケルームでは、長方形スペースのコーナー部に、遮音壁２６で仕切られた平面視三角形状の子ルーム２２を設け、両コーナー部に設置された子ルーム２２に挟まれるように、平面視台形状の親ルーム２１が配置されている。この例では、比較的利用され難い部屋のコーナー部を子ルームとして利用することにより、カラオケルームの限られたスペースを有効利用することができる。
親ルーム２１の一方の長手方向の壁の中央部には壁掛け式の大型モニターＭが設定され、大型モニターＭと対向する他方の長手方向の壁の中央部にはステージＳが設けられている。そして、各子ルーム２２の遮音壁２６に設けられた透明なペアガラス２５を介して大型モニターＭが見えるようになっている。
【手続補正７】
【補正対象書類名】明細書
【補正対象項目名】００１９
【補正方法】変更
【補正の内容】
【００１９】
一方、図３の親子カラオケルームでは、親ルーム３１の一方の長手方向の壁の両端部に設けられた外部と通ずる扉３３をそれぞれ遮音壁３６で取り囲んで子ルーム３２とし、外部から親ルーム３１に出入りする際には、子ルーム３２を経由するようになっている。これにより、外部と親ルーム３１との間に二重扉３３、３４を構成し、親ルーム３１の音が外部に漏れないようにして、高い遮音性能を示している。
【手続補正８】
【補正対象書類名】明細書
【補正対象項目名】００２０
【補正方法】変更
【補正の内容】
【００２０】
以上、本考案に係る親子カラオケルームの実施形態について説明したが、本考案は上記の実施形態に限定されるものではなく、その趣旨を逸脱しない範囲で適宜変更可能である。例えば、子ルームの数や形状、レイアウトは上記の実施形態に限定されるものではなく、各子ルームと親ルームがお互いに見渡せる位置にあればよい。また、上記実施形態では、外部と通ずる扉は２箇所としたが、３箇所以上設けても良い。
【手続補正９】
【補正対象書類名】明細書
【補正対象項目名】００２１
【補正方法】変更
【補正の内容】
【００２１】
【図１】本考案に係る親子カラオケルームの実施形態の一例を示す平面図である。
【図２】本考案に係る親子カラオケルームの他の実施形態を示す平面図である。
【図３】本考案に係る親子カラオケルームの他の実施形態を示す平面図である。